(57)【要約】【課題】本発明は、プレスフィットコンタクトに関し、プレスフィットコンタクト同士のピッチが狭い場合のプリント基板のダメージを防止することが課題である。        【解決手段】スルーホールにコンタクトを導入する導入部と、該導入部から二股に分かれて延設された拡張部でなりプリント基板のスルーホールに圧入されるプレスフィット部と、該プレスフィット部から延設されコネクタのハウジングの固定部に固定される導出部と、該導出部から延設されるコンタクト部とでなるプレスフィットコンタクトにおいて、前記プレスフィット部１ｃの二股に分かれた拡張部１ｂは、一直線ａ上に整列されて隣接するプレスフィットコンタクト１，１同士において、その拡張部１ｂの拡張方向ｂが前記一直線ａ上に無く、且つ、互いに平行になるように、当該プレスフィットコンタクトの長手方向の軸心ｃ周りに捻られているプレスフィットコンタクト１とする。【選択図】図１
2008053091.tif 000002
【特許請求の範囲】
【請求項１】
スルーホールにコンタクトを導入する導入部と、該導入部から二股に分かれて延設された拡張部でなりプリント基板のスルーホールに圧入されるプレスフィット部と、該プレスフィット部から延設されコネクタのハウジングの固定部に固定される導出部と、該導出部から延設されるコンタクト部とでなるプレスフィットコンタクトにおいて、
前記プレスフィット部の二股に分かれた拡張部は、一直線上に整列されて隣接するプレスフィットコンタクト同士において、その拡張部の拡張方向が前記一直線上に無く、且つ、互いに平行になるように、当該プレスフィットコンタクトの長手方向の軸心周りに捻られていること、
を特徴とするプレスフィットコンタクト。
【請求項２】
プレスフィット部の拡張部は、導出部が捻られていることによるか、若しくは、プレスフィット部が捻られていることにより、プレスフィットコンタクトの長手方向の軸心周りに捻られていること、
を特徴とする請求項１に記載のプレスフィットコンタクト。
【発明の詳細な説明】
【技術分野】
【０００１】
本発明は、例えば、プリント基板のスルーホールに圧入されて電気的接続がなされるプレスフィットコンタクトに関するものである。
【背景技術】
【０００２】
従来、プリント基板に実装されるコネクタには、プリント基板回路との電気的導通を図るコンタクトが設けられ、ハンダ付けされて固定されているが、近年、ハンダフリーもしくは作業効率の観点から、プレスフィットコンタクトを用いたコネクタが使用されるようになっている。
【０００３】
このような従来例に係るプレスフィットコンタクト１０として、図７（Ａ），（Ｂ），（Ｃ）に示すように、板状薄板から打ち抜きされるもので、プリント基板１１のスルーホール１１ａにコンタクト１０を導入する導入部１０ａと、プレスフィット部１０ｂと、導出部１０ｃと、コンタクト部１０ｄとからなる。前記プレスフィット部１０ｂは、ミシン針のように、円弧状に二股に分かれた円弧部１０ｅが導入部１０ａから延出され、その中央部には前記円弧部１０ｅの外形状に沿った形のスリット１０ｆが形成されている。前記導出部１０ｃは、図８に示す合成樹脂製の絶縁ハウジング１２の固着孔１２ａに装着して固定させるものである。
【０００４】
前記絶縁ハウジング１２に装着された複数のプレスフィットコンタクト１０を、プリント基板１１のスルーホール１１ａにそれぞれ圧入される。このプレスフィットコンタクト１０のプレスフィット部１０ｂの円弧部１０ｅが圧縮変形されて、その反力によりスルーホール１１ａの壁面を前記円弧部１０ｅが押圧して、確実な電気的接続がなされるものである。
【特許文献１】特開２００５−１５８５０７号公報
【発明の開示】
【発明が解決しようとする課題】
【０００５】
しかし、従来のプレスフィットコンタクト１０では、図７（Ｃ）に示すように、プレスフィット部１０ｂの二股に分かれて広がっている拡張方向において、隣接するプレスフィットコンタクト１０，１０のプレスフィット部１０ｂが一直線上に整列されて並ぶため、プリント基板１１のスルーホール１１ａも一直線上に並ぶことになる。よって、高密度に実装されるプレスフィットコンタクト１０は、そのピッチが狭くされて配設されると、前記スルーホール１１ａ同士のピッチも極めて接近し、プレスフィット部１０ｂの圧入時の接触圧力によって、前記スルーホール１１ａ，１１ａ間が、同時に発生する接触圧力の集中によって、基板内部に歪みが生じて基板のガラス繊維の剥離が発生することとなる。
このように、プリント基板１１において基板ダメージが発生するおそれがある。本発明に係るプレスフィットコンタクトは、このような課題を解決するために提案されたものである。
【課題を解決するための手段】
【０００６】
本発明に係るプレスフィットコンタクトの上記課題を解決して目的を達成するための要旨は、 スルーホールにコンタクトを導入する導入部と、該導入部から二股に分かれて延設された拡張部でなりプリント基板のスルーホールに圧入されるプレスフィット部と、該プレスフィット部から延設されコネクタのハウジングの固定部に固定される導出部と、該導出部から延設されるコンタクト部とでなるプレスフィットコンタクトにおいて、前記プレスフィット部の二股に分かれた拡張部は、一直線上に整列されて隣接するプレスフィットコンタクト同士において、その拡張部の拡張方向が前記一直線上に無く、且つ、互いに平行になるように、当該プレスフィットコンタクトの長手方向の軸心周りに捻られていることである。
【０００７】
また、前記拡張部をプレスフィットコンタクトの長手方向の軸心周りに捻ることにおいては、前記プレスフィット部の拡張部は、導出部が捻られていることによるか、若しくは、プレスフィット部が捻られていることにより、前記長手方向の軸心周りに捻られていることを含むものである。
【発明の効果】
【０００８】
本発明のプレスフィットコンタクトによれば、プリント基板上のスルーホールの間に、前記プレスフィットコンタクトのプレスフィット部による接触圧力の集中が無くなり、基板ダメージの発生が避けられるようになる。
また、前記プレスフィット部の拡張部を捻るには、導出部を捻るか、若しくは、プレスフィット部を捻るかの二通りの手段があり、例えば、プレスフィット部自身を捻るようにすることで、スルーホールとの接触部を連続的にずらすことができるようになり、接触圧力の影響する方向を変えながら圧入できる。このように、プレスフィットコンタクトのスルーホールへの圧入においても、選択的に幅が広がるものである。
【発明を実施するための最良の形態】
【０００９】
本発明の第１実施例に係るプレスフィットコンタクト１は、図１（Ａ）〜（Ｃ）に示すように、スルーホール１１ａ（図７，図８参照）にこのコンタクト１を導入する尖塔状の導入部１ａと、該導入部１ａから二股に分かれて延設された拡張部１ｂでなりプリント基板のスルーホール１１ａに圧入されるプレスフィット部１ｃと、該プレスフィット部１ｃから延設されコネクタ用ハウジングの固定部に固定される導出部１ｄと、該導出部１ｄから延設されるコンタクト部１ｅとでなる。
【００１０】
前記プレスフィット部１ｃの二股に分かれた拡張部１ｂ，１ｂは、コンタクトの配列における一直線ａ上に整列されて隣接するプレスフィットコンタクト１，１同士において、図１（Ｃ）に示すように、その拡張部ｂ，１ｂの拡張方向ｂが一直線上に無く、且つ、互いに平行になるように、当該プレスフィットコンタクト１の長手方向（図１（Ａ）参照）の軸心ｃ周りに捻られている。
【００１１】
プレスフィット部１ｃの拡張部１ｂ，１ｂは、導出部１ｄが捻られていることによるか、若しくは、プレスフィット部１ｃ自身が捻られていることにより、長手方向の軸心ｃ周りに捻られているのである。図１に示すプレスフィットコンタクト１の場合は、導出部１ｄの長手方向の長さの途中において、例えば、θ＝略４５°程度、軸心ｃ周りに回転させたものである。よって、この場合には、捻られる出部１ｄとともにプレスフィット部１ｃが回転するので、当該プレスフィット部１ｃには曲げの影響が伝達されず、前記一直線ａ上からθ回転した平面内に収まっており、拡張部１ｂ，１ｂの拡張方向ｂは長手方向において一定である。
【００１２】
図２に示す第２実施例に係るプレスフィットコンタクト１は、前記プレスフィット部１ｃ自体を捻った実施例である。図２（Ｂ）に示すように、上下方向の上からＣ，Ｄ，Ｅの３箇所で断面にすると、図３に示すように、断面Ｃの箇所では図３（Ａ）に示すように、まだ捻られていない。そして、断面Ｄの箇所では、図３（Ｂ）に示すように、前記一直線ａ上からθ1回転し、断面Ｅでは、図３（Ｃ）に示すように、θ2回転している。θ2＞θ1である。要は、このプレスフィット部１ｃの拡張部１ｂ，１ｂを、軸心ｃの周りに同時に同方向に螺旋状に捻ったものである。
【００１３】
以上のように形成される本発明のプレスフィットコンタクト１を、プリント基板１１のスルーホール１１ａに圧入すると、図４に示すように、コンタクトを整列させる時の一直線ａ１上において、拡張部１ｂ，１ｂの拡張方向ｂが、互いに平行になっており、一直線上にはない。一直線ａ２上においても同様である。よって、隣り合うスルーホール１１ａ，１１ａの間に、プレスフィット部１ｃの圧入による接触圧力が集中することがない。
【００１４】
また、プレスフィットコンタクト１が二列以上に配設されると、図４に示す拡張方向ｂ，ｂ…が一直線上になるスルーホール１１ａ，１１ａが存在することになるが、それは斜め方向に配置されているので、その間の距離Ｌが長くなるので、接触圧力が緩和されて基板ダメージ発生のおそれがない。
【００１５】
本発明に係るプレスフィットコンタクト１をプリント基板１１に圧入するには、図５乃至図６に示すように、受け治具３で、プリント基板１１と絶縁ハウジング１２を受けて、複数の固着孔１２ａそれぞれにプレスフィットコンタクト１，１，…を入れ、逃げ孔４ａを有する打込み治具４を、コンタクト部１ｅを前記逃げ孔４ａに各々収まるようにして、上からプレスフィットコンタクト１に被せて、下に向けて圧入する。これにより、プレスフィットコンタクト１の導入部１ａがスルーホール１１ａを通過して下に突設し、プレスフィット部１ｃの拡張部１ｂ，１ｂがスルーホール１１ａの壁面に強く当接し、導出部１ｄで固着孔１２ａに固着される。
【図面の簡単な説明】
【００１６】
【図１】本発明に係るプレスフィットコンタクト１の斜視図（Ａ）、一列に整列されたプスフィットコンタクト１の一部の正面図（Ｂ）、Ｂ−Ｂ線に沿った断面図（Ｃ）である。
【図２】同本発明の第２実施例に係るプレスフィットコンタクト１の斜視図（Ａ）、一列に整列されたプスフィットコンタクト１の一部の正面図（Ｂ）である。
【図３】図２（Ｂ）における、Ｃ−Ｃ線に沿った断面図（Ａ）、同Ｄ−Ｄ線に沿った断面図（Ｂ）、Ｅ−Ｅ線に沿った断面図（Ｃ）である。
【図４】本発明に係るプレスフィットコンタクト１の整列状態において、プレスフィット部１ｃの拡張部１ｂ，１ｂの拡張方向ｂが、一直線ａ１，ａ２上になく、且つ、互いに平行であることを示す説明用の断面図である。
【図５】本発明のプレスフィットコンタクト１をプリント基板１１のスルーホール１１ａに圧入する場合の治具による方法を示す説明用の断面図である。
【図６】同プレスフィットコンタクト１の圧入方法を示す斜視図である。
【図７】従来例に係るプレスフィットコンタクト１０の斜視図（Ａ）、一列に整列されたプスフィットコンタクト１の一部の正面図（Ｂ）、Ａ−Ａ線に沿った断面図（Ｃ）である。
【図８】同従来例に係るプレスフィットコンタクト１０の圧入の様子を示す斜視図である。
【符号の説明】
【００１７】
１          プレスフィットコンタクト、
１ａ        導入部、                        １ｂ        拡張部、
１ｃ        プレスフィット部、              １ｄ        導出部、
１ｅ        コンタクト部、                  １ｆ        スリット部、    
３          受け治具、
４          打込み治具、                    ４ａ        逃げ孔、
１０        従来例に係るプレスフィットコンタクト、
１０ａ      導入部、                        １０ｂ      プレスフィット部、
１０ｃ      導出部、                        １０ｄ      コンタクト部、
１０ｅ      円弧部、                        １０ｆ      スリット、
１１        プリント基板、                  １１ａ      スルーホール、
１２        絶縁ハウジング、                １２ａ      固着孔、
ａ，ａ１，ａ２          一直線、
ｂ          拡張方向、
ｃ          軸心。
【図１】
2008053091.tif 000003
【図２】
2008053091.tif 000004
【図３】
2008053091.tif 000005
【図４】
2008053091.tif 000006
【図５】
2008053091.tif 000007
【図６】
2008053091.tif 000008
【図７】
2008053091.tif 000009
【図８】
2008053091.tif 000010